(57)【特許請求の範囲】
【請求項１】
マルチキャストマルチメディア放送サービスにより無線端末に対する個別のデータの配信及び複数の無線端末に対する同一のデータの同時配信が可能な移動通信システムと、
前記移動通信システムから報告される、前記データの配信を要求する無線端末と該無線端末が接続される無線基地局とを関連付けた配信情報をデータベースとして蓄積し、前記データベースに基づき前記無線端末に対して点対多方式で前記データを配信するか点対点方式で前記データを配信するかを選択し、該選択結果を前記移動通信システムに通知するサーバ装置と、
を有し、
前記移動通信システムは、前記データの配信を開始すると、該データを配信している無線端末毎にセルの移動有無を判定し、前記セルの移動を検出した無線端末が移動後に接続する無線基地局で前記データの配信方式の変更が必要であるか否かを判定し、該配信方式の変更が必要な場合は、該配信方式の変更を移動後に接続する無線基地局を含む無線アクセスネットワークに指示すると共に、移動後に接続する無線基地局の情報を前記サーバ装置に通知し、
前記サーバ装置は、前記移動通信システムからの報告にしたがって、無線端末毎に接続する無線基地局情報の移動履歴をデータベースに追加する情報配信システム。
【請求項２】
前記サーバ装置は、
前記無線基地局に対する、前記データの配信を要求する無線端末の接続数を前記データ毎に計数し、前記無線端末との接続数が予め設定された閾値より多い無線基地局では前記点対多方式で前記データを配信し、前記無線端末との接続数が前記閾値以下の無線基地局では前記点対多方式または前記点対点方式で前記データを配信するよう前記移動通信システムに指示する請求項１記載の情報配信システム。
【請求項３】
前記配信情報に、前記データが配信される無線端末を識別するための情報、該無線端末が接続している無線基地局を識別するための情報、該無線端末に対する前記データの配信時刻を示す接続時間情報及び該データの名称を含む請求項１または２記載の情報配信システム。
【請求項４】
前記サーバ装置は、
前記データベースに蓄積された配信情報を基に、前記データを前記点対多方式で配信している地域及び時間、並びに前記データを前記点対点方式で配信している地域及び時間の情報を出力する請求項１から３のいずれか１項記載の情報配信システム。
【請求項５】
サーバ装置が、
マルチキャストマルチメディア放送サービスにより無線端末に対する個別のデータの配信及び複数の無線端末に対する同一のデータの同時配信が可能な移動通信システムから報告される、前記データの配信を要求する無線端末と該無線端末が接続される無線基地局とを関連付けた配信情報をデータベースとしてデータ蓄積装置に保存し、
前記データベースに基づき前記無線端末に対して点対多方式で前記データを配信するか点対点方式で前記データを配信するかを選択し、該選択結果を前記移動通信システムに通知し、
前記移動通信システムが、
前記データの配信を開始し、該データを配信している無線端末毎にセルの移動有無を判定し、前記セルの移動を検出した無線端末が移動後に接続する無線基地局で前記データの配信方式の変更が必要であるか否かを判定し、該配信方式の変更が必要な場合は、該配信方式の変更を移動後に接続する無線基地局を含む無線アクセスネットワークに指示すると共に、移動後に接続する無線基地局の情報を前記サーバ装置に通知し、
前記サーバ装置が、
前記移動通信システムからの報告にしたがって、無線端末毎に接続する無線基地局情報の移動履歴をデータベースに追加する情報配信方法。
【請求項６】
前記無線基地局に対する、前記データの配信を要求する無線端末の接続数を前記データ毎に計数し、
前記無線端末との接続数が予め設定された閾値より多い無線基地局では前記点対多方式で前記データを配信し、前記無線端末との接続数が前記閾値以下の無線基地局では前記点対多方式または前記点対点方式で前記データを配信するよう前記移動通信システムに指示する請求項５記載の情報配信方法。
【請求項７】
前記配信情報に、前記データが配信される無線端末を識別するための情報、該無線端末が接続している無線基地局を識別するための情報、該無線端末に対する前記データの配信時刻を示す接続時間情報及び該データの名称を含む請求項５または６記載の情報配信方法。
【請求項８】
前記データベースに蓄積された配信情報を基に、前記データを前記点対多方式で配信している地域及び時間、並びに前記データを前記点対点方式で配信している地域及び時間の情報を出力する請求項５から７のいずれか１項記載の情報配信方法。
【請求項９】
マルチキャストマルチメディア放送サービスにより無線端末に対する個別のデータの配信及び複数の無線端末に対する同一のデータの同時配信が可能な移動通信システムに接続されるサーバ装置であって、
移動通信システムから報告される、前記データの配信を要求する無線端末と該無線端末が接続される無線基地局とを関連付けた配信情報がデータベースとして保存されるデータ蓄積装置と、
前記データベースに基づき前記無線端末に対して点対多方式で前記データを配信するか点対点方式で前記データを配信するかを選択し、該選択結果を前記移動通信システムに通知する処理装置と、
を有し、
前記データ蓄積装置に、
前記移動通信システムから報告される、前記データの配信を開始した後に該データを配信している無線端末がセルを移動することで該無線端末が移動後に接続する無線基地局における前記データの配信方式の変更が必要な場合、該変更後の配信方式及び移動後に接続する無線基地局情報の移動履歴が前記データベースとして保存されるサーバ装置。
【請求項１０】
前記処理装置は、
前記無線基地局に対する、前記データの配信を要求する無線端末の接続数を前記データ毎に計数し、
前記無線端末との接続数が予め設定された閾値より多い無線基地局では前記点対多方式で前記データを配信し、前記無線端末との接続数が前記閾値以下の無線基地局では前記点対多方式または前記点対点方式で前記データを配信するよう前記移動通信システムに指示する請求項９記載のサーバ装置。
【請求項１１】
前記配信情報に、前記データが配信される無線端末を識別するための情報、該無線端末が接続している無線基地局を識別するための情報、該無線端末に対する前記データの配信時刻を示す接続時間情報及び該データの名称を含む請求項９または１０記載のサーバ装置。
【請求項１２】
前記処理装置は、
前記データベースに蓄積された配信情報を基に、前記データを前記点対多方式で配信している地域及び時間、並びに前記データを前記点対点方式で配信している地域及び時間の情報を出力する請求項９から１１のいずれか１項記載のサーバ装置。
【発明の詳細な説明】
【技術分野】
【０００１】
本発明はマルチキャストマルチメディア放送サービス（ＭＢＭＳ：Multimedia Broadcast and Multicast Service）技術を利用した情報配信システム、情報配信方法及びサーバ装置に関する。
【背景技術】
【０００２】
近年、マルチメディアデータ等の大容量のデータを配信する技術として、ＭＢＭＳが注目されている。ＭＢＭＳは、既存の移動通信システムを利用して複数チャネルのデータ（以下、コンテンツと称す）を多人数に同時に配信できる、３ＧＰＰ（3rd Generation Partnership Project）で標準化された技術である。
【０００３】
ＭＢＭＳでは、テレビジョン放送のように同一のコンテンツを複数の無線端末（ＵＥ：User Equipment）に同時に配信する点対多（Point to Multi Point）方式と、パケット通信により各ＵＥに個別にコンテンツを配信する点対点（Point to Point）方式とを組み合わせたデータ配信が可能である。なお、以下では、点対多（Point to Multi Point）方式をＰｔＭ方式と称し、点対点（Point to Point）方式をＰｔＰ方式と称す。
【０００４】
このＭＢＭＳにおける各ＵＥに対するコンテンツの配信方式（ＰｔＭまたはＰｔＰ）の選択方法については、例えば特許文献１や特許文献２に記載されている。
【０００５】
特許文献１及び特許文献２には、セル内に在圏するＭＢＭＳサービスを提供するＵＥ数が予め設定した閾値を越えるときは各ＵＥにＰｔＭ方式でコンテンツを配信し、閾値以下のときは各ＵＥにＰｔＰ方式でコンテンツを配信することが記載されている。また、特許文献１にはコンテンツの配信方式に応じて用いるチャネルの情報を各ＵＥに通知することが記載されている。
【特許文献１】特開２００４−１３５２９２号公報
【特許文献２】特開２００５−３４８３９２号公報
【発明の開示】
【発明が解決しようとする課題】
【０００６】
上述した特許文献１や特許文献２に記載されたシステムでは、無線リソースを効率よく利用することを目的として、各ユーザのＵＥに対するコンテンツの配信方式（ＰｔＭ方式またはＰｔＰ方式）を選択している。そのため、コンテンツを提供する提供者やコンテンツを受信するユーザが希望する配信方式が選択できるとは限らない。
【０００７】
例えばコンテンツの配信を希望するセル内のユーザ数が、該コンテンツの提供者が予想したユーザ数よりも多い場合、その配信方式はＰｔＭ方式に限定される可能性が高い。その場合、該コンテンツの配信時刻は、提供者が決定した時刻に制限されるため、ＭＢＭＳを利用するユーザの利便性が低下してしまう。また、コンテンツの提供者は、配信方式や配信時刻等の制限により提供するコンテンツのユーザによる利用率が低下するおそれがある。
【０００８】
本発明は上記したような従来の技術が有する問題点を解決するためになされたものであり、無線リソースを効率よく利用できると共に、コンテンツの提供者やユーザの利便性がより向上した情報配信システム、情報配信方法及びサーバ装置を提供することを目的とする。
【課題を解決するための手段】
【０００９】
上記目的を達成するため本発明の情報配信システムは、マルチキャストマルチメディア放送サービスにより無線端末に対する個別のデータの配信及び複数の無線端末に対する同一のデータの同時配信が可能な移動通信システムと、
前記移動通信システムから報告される、前記データの配信を要求する無線端末と該無線端末が接続される無線基地局とを関連付けた配信情報をデータベースとして蓄積し、前記データベースに基づき前記無線端末に対して点対多方式で前記データを配信するか点対点方式で前記データを配信するかを選択し、該選択結果を前記移動通信システムに通知するサーバ装置と、
を有し、
前記移動通信システムは、前記データの配信を開始すると、該データを配信している無線端末毎にセルの移動有無を判定し、前記セルの移動を検出した無線端末が移動後に接続する無線基地局で前記データの配信方式の変更が必要であるか否かを判定し、該配信方式の変更が必要な場合は、該配信方式の変更を移動後に接続する無線基地局を含む無線アクセスネットワークに指示すると共に、移動後に接続する無線基地局の情報を前記サーバ装置に通知し、
前記サーバ装置は、前記移動通信システムからの報告にしたがって、無線端末毎に接続する無線基地局情報の移動履歴をデータベースに追加する構成である。
【００１０】
一方、本発明の情報配信方法は、サーバ装置が、
マルチキャストマルチメディア放送サービスにより無線端末に対する個別のデータの配信及び複数の無線端末に対する同一のデータの同時配信が可能な移動通信システムから報告される、前記データの配信を要求する無線端末と該無線端末が接続される無線基地局とを関連付けた配信情報をデータベースとしてデータ蓄積装置に保存し、
前記データベースに基づき前記無線端末に対して点対多方式で前記データを配信するか点対点方式で前記データを配信するかを選択し、該選択結果を前記移動通信システムに通知し、
前記移動通信システムが、
前記データの配信を開始し、該データを配信している無線端末毎にセルの移動有無を判定し、前記セルの移動を検出した無線端末が移動後に接続する無線基地局で前記データの配信方式の変更が必要であるか否かを判定し、該配信方式の変更が必要な場合は、該配信方式の変更を移動後に接続する無線基地局を含む無線アクセスネットワークに指示すると共に、移動後に接続する無線基地局の情報を前記サーバ装置に通知し、
前記サーバ装置が、
前記移動通信システムからの報告にしたがって、無線端末毎に接続する無線基地局情報の移動履歴をデータベースに追加する方法である。
【００１１】
また、本発明のサーバ装置は、マルチキャストマルチメディア放送サービスにより無線端末に対する個別のデータの配信及び複数の無線端末に対する同一のデータの同時配信が可能な移動通信システムに接続されるサーバ装置であって、
移動通信システムから報告される、前記データの配信を要求する無線端末と該無線端末が接続される無線基地局とを関連付けた配信情報がデータベースとして保存されるデータ蓄積装置と、
前記データベースに基づき前記無線端末に対して点対多方式で前記データを配信するか点対点方式で前記データを配信するかを選択し、該選択結果を前記移動通信システムに通知する処理装置と、
を有し、
前記データ蓄積装置に、
前記移動通信システムから報告される、前記データの配信を開始した後に該データを配信している無線端末がセルを移動することで該無線端末が移動後に接続する無線基地局における前記データの配信方式の変更が必要な場合、該変更後の配信方式及び移動後に接続する無線基地局情報の移動履歴が前記データベースとして保存される構成である。
【発明の効果】
【００１２】
本発明によれば、無線リソースを効率よく利用できると共に、コンテンツの提供者やユーザの利便性がより向上する。
【発明を実施するための最良の形態】
【００１３】
次に本発明について図面を用いて説明する。
（第１の実施の形態）
図１は本発明の情報配信システムの一構成例を示すブロック図であり、図２は図１に示した移動通信システムの具体的な構成例を示すブロック図である。また、図３は図１に示したサーバ装置の一構成例を示すブロック図である。
【００１４】
図１に示すように、本発明の情報配信システムは、ＭＢＭＳによりＵＥ２に対する個別のデータの配信及び複数のＵＥ２に対する同一のデータの同時配信が可能な移動通信システム１と、移動通信システム１から報告される、コンテンツの配信を要求した各ユーザのＵＥ２と該ＵＥ２が接続される無線基地局とを関連付けた配信情報をデータベースとして蓄積し、該データベースに基づいて各ＵＥ２に対するコンテンツの配信方式を選択し、該選択結果を移動通信システムに通知するサーバ装置１０４とを有する構成である。
【００１５】
図２に示すように、移動通信システムは、マルチキャスト／放送サービスセンター（ＢＭ−ＳＣ：Broadcast Multicast Service center）１００、パケット無線サービス支援ノード（ＧＧＳＮ：Gateway GPRS（General Packet Radio Service） Support Node）１０１、サービスパケット無線サービス支援ノード（ＳＧＳＮ：Serving GPRS Support Node）１０２及び無線アクセスネットワーク（ＲＡＮ：Radio Access Network）１０３を備えている。
【００１６】
ＢＭ−ＳＣ１００は、ＭＢＭＳで配信するコンテンツを管理し、各ＵＥ２に対してそのユーザが希望するコンテンツを配信する。本実施形態のＢＭ−ＳＣ１００は、コンテンツを最初に配信するときはＰｔＭ方式を利用し、その際にコンテンツの配信を要求した各ユーザのＵＥ２と該ＵＥ２が接続される無線基地局とを関連付けた配信情報をサーバ装置１０４に報告する。
【００１７】
ＧＧＳＮ１０１及びＳＧＳＮ１０２は、パケット通信におけるコンテンツデータの伝送経路を制御する装置である。ＧＧＳＮ１０１は移動通信システムにおけるゲートウェイサーバに相当し、ＳＧＳＮ１０２は移動通信システムにおけるパケット交換機に相当する。ＵＥ２は、ＧＧＳＮ１０１及びＳＧＳＮ１０２を経由することで、ＢＭ−ＳＣ１００から各種のコンテンツを取得できる。
【００１８】
ＲＡＮ１０３は、周知のＲＮＣ（Radio Network Controller：無線基地局制御装置）及び無線基地局（Node B）を備え、無線基地局で通信可能なセル内の各ＵＥ２と無線通信によってデータを送受信する。ＲＡＮ１０３は、ＵＥ２からＭＢＭＳによるコンテンツの要求を受け付けると、ＢＭ−ＳＣ１００とＵＥ２間に該コンテンツのデータを伝送するための接続経路（U-Plane）を設定する。また、ＲＡＮ１０３は、ＰｔＭ方式でコンテンツを配信する場合、複数のＵＥ２に対して１つの無線チャネル（ＦＡＣＨ）を割り当て、該ＦＡＣＨを利用して各ユーザに同一のコンテンツを同時に配信する。また、ＲＡＮ１０３は、ＰｔＰ方式でコンテンツを配信する場合、ＵＥ２毎に無線チャネル（ＤＣＨ）を割り当て、該ＤＣＨを利用して各ユーザに個別のコンテンツを配信する。
【００１９】
サーバ装置１０４は、例えばＢＭ−ＳＣ１００と接続され、ＢＭ−ＳＣ１００から報告される上記配信情報をデータベースとして蓄積する。配信情報には、コンテンツが配信されるＵＥ２を識別するための情報、該ＵＥ２が接続している無線基地局を識別するための情報、該ＵＥ２に対するコンテンツの配信時刻を示す接続時間情報及び該コンテンツの名称（コンテンツ名）等が含まれる。
【００２０】
サーバ装置１０４は、データベースに蓄積された配信情報に基づいて、コンテンツ毎に無線基地局に対するＵＥ２の接続数を計数する。そして、ＵＥ２との接続数が予め設定した閾値より多い（視聴率が高い）無線基地局ではＰｔＭ方式により該当するコンテンツを配信するようＢＭ−ＳＣ１００に指示する。また、ＵＥ２との接続数が閾値以下（視聴率が低い）の無線基地局では、ＰｔＭ方式及びＰｔＰ方式のいずれの方式でも該当するコンテンツの配信を認めるようＢＭ−ＳＣ１００に指示する。その場合、ＢＭ−ＳＣ１００は、例えばコンテンツの提供者が要求する配信方式やユーザが希望する配信方式で該コンテンツを配信すればよい。
【００２１】
また、サーバ装置１０４は、コンテンツに対するＵＥ２の接続数を計数した無線基地局及びその周辺に配置された無線基地局を含む所定の地域単位で該コンテンツの配信方式を選択してもよい。例えば所定の地域内にコンテンツに対するＵＥ２の接続数が閾値を越える無線基地局がある場合は、該地域全体にＰｔＭ方式でコンテンツを配信するようＢＭ−ＳＣ１００に指示してもよい。
【００２２】
さらに、サーバ装置１０４は、例えばコンテンツの提供者からの操作にしたがって、データベースに保存された情報を基に、ＰｔＭ方式で配信している地域及び時間、並びにＰｔＰ方式で配信している地域及び時間等の情報をコンテンツ単位で出力する。
【００２３】
本発明の情報配信システムでは、同一のコンテンツであってもＰｔＭ方式で配信しているセルとＰｔＰ方式で配信しているセルとが同時に存在する。したがって、ＵＥ２を所有するユーザが移動することで在圏するセルが切り替わると、同一のコンテンツであっても異なる配信方式への切り替えが必要になる場合がある。
【００２４】
そこで、本実施形態のＲＡＮ１０３は、ユーザ毎にセル間の移動状況をＢＭ−ＳＣ１００に報告し、ＢＭ−ＳＣ１００は、同一コンテンツについて異なる方式で配信しているセル間でユーザの移動が発生した場合、移動先の配信方式で用いるチャネルへの切り替えをＵＥ２へ通知する。その場合、ＲＡＮ１０３やＳＧＳＮ１０２は、セル間を移動するＵＥ２と所定のシグナリングメッセージを用いて情報を交換することで、該ＵＥ２とＢＭ−ＳＣ１００の接続の切り替え処理を実行する。
【００２５】
図３に示すように、サーバ装置１０４は、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００２６】
処理装置１０は、ＣＰＵ１１と、ＣＰＵ１１の処理で必要な情報を一時的に保持する主記憶装置１２と、ＣＰＵ１１に本発明の情報配信方法の処理を実行させるためのプログラムが記録された記録媒体１３と、上述したデータベースとして用いられるデータ蓄積装置１４と、主記憶装置１２、記録媒体１３及びデータ蓄積装置１４とのデータ転送を制御するメモリ制御インタフェース部１５と、入力装置２０及び出力装置３０とのインタフェース装置であるＩ／Ｏインタフェース部１６と、ＢＭ−ＳＣ１００との通信を制御するインタフェースである通信制御装置１７とを備え、それらがバス１８を介して接続された構成である。
【００２７】
処理装置１０は、記録媒体１３に記録されたプログラムにしたがって以下に記載する本発明の情報配信のための処理を実行する。なお、記録媒体１３は、磁気ディスク、半導体メモリ、光ディスクあるいはその他の記録媒体であってもよい。また、データ蓄積装置１４は、サーバ装置１０４内に備える必要はなく、サーバ装置１０４から独立した装置であってもよい。
【００２８】
ＢＭ−ＳＣ１００、ＧＧＳＮ１０１、ＳＧＳＮ１０２及びＲＡＮ１０３については、既存の移動通信システムが備える周知の装置を用いればよいため、ここではその詳細な説明を省略する。
【００２９】
次に、図４〜図６に示すフローチャートを用いて第１の実施の形態の情報配信方法の処理手順について説明する。
【００３０】
図４〜図６は第１の実施の形態の情報配信方法の処理手順を示すフローチャートである。なお、図４はサーバ装置によりデータベースを構築する際のＢＭ−ＳＣ１００、ＲＡＮ１０３及びサーバ装置１０４の処理手順を示し、図５はサーバ装置による配信方式の選択時の処理手順を示している。また、図６は同一のコンテンツをＰｔＭ方式及びＰｔＰ方式で配信しているセルが混在し、かつＵＥ２がＰｔＭ方式で配信しているセルからＰｔＰ方式で配信しているセルへ移動する場合の処理手順を示している。
【００３１】
図４に示すように、ユーザのＵＥ２からＭＢＭＳによるコンテンツの配信が要求されると（ステップ１−１）、ＲＡＮ１０３は、該ユーザのＵＥ２を識別するための識別子（ＩＭＳＩ：International Mobile Subscriber Identity）、該ＵＥ２と接続している無線基地局を識別するための情報（無線基地局情報）及び該ＵＥ２に対するコンテンツの配信時刻を示す接続時間情報をＢＭ−ＳＣ１００へ通知する（ステップ１−２）。
【００３２】
ＢＭ−ＳＣ１００は、コンテンツの配信時刻になると、ＲＡＮ１０３に対してＦＡＣＨを用いて各ＵＥ２と接続するよう指示し（ステップ１−３）、ＲＡＮ１０３はＢＭ−ＳＣ１００からの指示にしたがってＦＡＣＨを用いて自セル内の該コンテンツの視聴を希望する複数のＵＥ２との接続を確立する（ステップ１−４）。各ＵＥ２との接続が確立すると、ＢＭ−ＳＣ１００から提供されたコンテンツがＦＡＣＨにより複数のＵＥ２へ同時に配信される。
【００３３】
ＢＭ−ＳＣ１００は、ステップ１−２でＲＡＮ１０３から通知された、コンテンツを配信するユーザのＩＭＳＩ、無線基地局情報及び接続時間情報と、コンテンツ名とを、配信情報としてサーバ装置１０４に報告する（ステップ１−５）。
【００３４】
サーバ装置１０４は、ＢＭ−ＳＣ１００から報告された配信情報をデータベースに保存する（ステップ１−６）。このときサーバ装置１０４に蓄積されるデータベースの一例を以下の表１に示す。
【００３５】
【表１】
0005088113.tif 000002
【００３６】
コンテンツの配信を開始すると、ＲＡＮ１０３は配信しているコンテンツのユーザ毎にセルの移動要求の有無を判定する（ステップ１−７）。そして、ＵＥ２の移動を検出すると、該ＵＥ２との接続先の無線基地局の変更をＢＭ−ＳＣ１００に通知する（ステップ１−８）。
【００３７】
ＢＭ−ＳＣ１００は、ＲＡＮ１０３からＵＥ２の接続先の無線基地局の変更が通知されると、該ＵＥ２の移動後に接続する無線基地局の情報をサーバ装置１０４に通知する（ステップ１−９）。
【００３８】
サーバ装置１０４は、ＢＭ−ＳＣ１００からの報告にしたがって、ＵＥ２毎に接続する無線基地局情報の移動履歴をデータベースに追加し（ステップ１−１０）、ステップ１−７の処理に戻ってステップ１−１０までの処理を繰り返す。ステップ１−７〜ステップ１−１０の処理はＵＥ２がＭＢＭＳによるコンテンツの受信を終了するまで続けられる。
【００３９】
図５に示すように、サーバ装置１０４は、データベースに蓄積された配信情報に基づき、コンテンツ毎に無線基地局に対するＵＥ２の接続数をそれぞれ計数し（ステップ２−１）、該接続数が予め設定した閾値を越えているか否かを判定する（ステップ２−２）。この閾値には変数を用いて調整可能にする。サーバ装置１０４は、ステップ２−２の判定結果に基づきＵＥ２との接続数が閾値より多い無線基地局ではＰｔＭ方式により該当するコンテンツを継続して配信するようＢＭ−ＳＣ１００に指示する。また、ＵＥ２との接続数が閾値以下の無線基地局ではＰｔＭ方式及びＰｔＰ方式のいずれの方式でも該当するコンテンツの配信を認めるようＢＭ−ＳＣ１００に指示する。
【００４０】
ＢＭ−ＳＣ１００は、サーバ装置１０４からの指示にしたがってＰｔＭ方式及びＰｔＰ方式のいずれも認める無線基地局では、コンテンツの提供者やユーザの希望に応じて配信方式を選択する、あるいは地域単位で配信方式を決定する等の、予め決められた選択方法にしたがってＰｔＭ方式またはＰｔＰ方式によりコンテンツを配信する（ステップ２−３）。また、ＰｔＭ方式による配信を指示されたセル内のＵＥ２にはＰｔＭ方式でコンテンツを配信する（ステップ２−４）。
【００４１】
図６に示すように、ＰｔＰ方式で配信できるセルとＰｔＭ方式で配信できるセルとが混在する場合、ユーザのＵＥ２からＭＢＭＳによるコンテンツの配信が要求されると（ステップ３−１）、ＲＡＮ１０３は該ユーザのＵＥ２を識別するための識別子（ＩＭＳＩ）、該ＵＥ２と接続している無線基地局を識別するための情報（無線基地局情報）及び該ＵＥ２に対するコンテンツの配信時刻を示す接続時間情報をＢＭ−ＳＣ１００へ通知する（ステップ３−２）。
【００４２】
ＢＭ−ＳＣ１００は、サーバ装置１０４へ問い合わせることで該ユーザのＵＥ２に対してコンテンツをＰｔＭ方式で配信するか否かを判断し（ステップ３−３）、ＰｔＭ方式で配信する場合はＦＡＣＨを用いて該ＵＥ２と接続するようにＲＡＮ１０３に指示する（ステップ３−４）。また、ＰｔＰ方式での配信する場合はＤＣＨを用いて該ＵＥ２と接続するようにＲＡＮ１０３に指示する（ステップ３−５）。
【００４３】
ＲＡＮ１０３はＢＭ−ＳＣ１００からの指示にしたがってＤＣＨまたはＦＡＣＨを用いて自セル内の各ＵＥ２との接続を確立する（ステップ３−６）。各ＵＥ２との接続が確立すると、ＢＭ−ＳＣ１００からのコンテンツがＤＣＨまたはＦＡＣＨを用いて各ＵＥ２へ配信される。
【００４４】
ＢＭ−ＳＣ１００は、ステップ３−２でＲＡＮ１０３から通知された、コンテンツを配信するユーザのＩＭＳＩ、無線基地局情報及び接続時間情報と、コンテンツ名とを、配信情報としてサーバ装置１０４に報告する（ステップ３−７）。
【００４５】
サーバ装置１０４は、ＢＭ−ＳＣ１００から報告された配信情報に基づきデータベースを更新する（ステップ３−８）。
【００４６】
コンテンツの配信を開始すると、ＲＡＮ１０３は配信しているコンテンツのユーザ毎にセルの移動要求の有無を判定する（ステップ３−９）。そして、ユーザのＵＥ２の移動を検出すると、該ＵＥ２との接続先の無線基地局の変更をＢＭ−ＳＣ１００に通知する（ステップ３−１０）。
【００４７】
ＢＭ−ＳＣ１００は、ＲＡＮ１０３からＵＥ２の接続先の無線基地局の変更が通知されると、該ＵＥ２の移動後に接続する無線基地局でコンテンツの配信方式の変更が必要であるか否かを判定する（ステップ３−１１）。
【００４８】
ＢＭ−ＳＣ１００は、移動後に接続する無線基地局で配信方式の変更が必要な場合、該配信方式の変更をユーザのＵＥ２及び移動後のＲＡＮ１０３に指示する（ステップ３−１２）。なお、図６ではＢＭ−ＳＣ１００からＲＡＮ１０３にＰｔＭ方式からＰｔＰ方式への変更を指示する例を示している。配信方式の変更が不要な場合は後述するステップ３−１６の処理に移行する。
【００４９】
移動後のＲＡＮ１０３は、ＢＭ−ＳＣ１００からの指示にしたがってＦＡＣＨまたはＤＣＨを用いて自セル内のＵＥ２との接続を確立する（ステップ３−１３）。各ＵＥ２との接続が確立すると、ＢＭ−ＳＣ１００から提供されたコンテンツが移動後の無線基地局からＵＥ２へ配信される。ＲＡＮ１０３は、ＵＥ２の移動が完了すると、その旨をＢＭ−ＳＣ１００に報告する（ステップ３−１４）。
【００５０】
ＢＭ−ＳＣ１００は、ＲＡＮ１０３からＵＥ２の接続先の無線基地局の変更終了が通知されると、該ＵＥ２の移動後に接続する無線基地局の情報をサーバ装置１０４に通知する（ステップ３−１５）。
【００５１】
サーバ装置１０４は、ＢＭ−ＳＣ１００からの報告にしたがって、ＵＥ２毎に接続する無線基地局情報の移動履歴をデータベースに追加し（ステップ３−１６）、ステップ３−９の処理に戻ってステップ３−１６までの処理を繰り返す。ステップ３−９〜ステップ３−１６の処理はＵＥ２がＭＢＭＳによるコンテンツの受信を終了するまで続けられる。
【００５２】
本実施形態によれば、サーバ装置によって、ＵＥ２との接続数が閾値より多い無線基地局ではＰｔＭ方式によるコンテンツの配信が選択されるため、無線リソースを効率よく利用できる。また、ＵＥ２との接続数が閾値より少ない無線基地局では、コンテンツの提供者が要求する配信方式やユーザが希望する配信方式で該コンテンツを配信すれば、コンテンツの提供者やＭＢＭＳを利用するユーザの利便性が向上する。
【００５３】
さらに、コンテンツの提供者は、サーバ装置１０４からＰｔＭ方式で配信している地域及び時間、並びにＰｔＰ方式で配信している地域及び時間等の情報をコンテンツ単位で出力させれば、例えば各地域の視聴者数が多いコンテンツから地域毎のユーザの嗜好が判別できる。そのため、地域毎にユーザの嗜好に合致したコンテンツを配信できる。また、地域毎のユーザの嗜好に応じてコンテンツの配信時刻や配信回数等を調整すれば、ユーザによる視聴日時の選択肢が増大する。したがって、ユーザによるコンテンツの利用率が増大する。
（第２の実施の形態）
次に第２の実施の形態の情報配信システムについて図面を用いて説明する。
【００５４】
第２の実施の形態の情報配信システムは、図１に示したサーバ装置１０４を図２に示したＲＡＮ１０３に備えた構成である。その他の構成は第１の実施の形態と同様であるため、その説明は省略する。
【００５５】
図７及び図８は第２の実施の形態の情報配信方法の処理手順を示すフローチャートである。
【００５６】
なお、図７は第１の実施の形態と同様に、サーバ装置によりデータベースを構築する際のＢＭ−ＳＣ１００、ＲＡＮ１０３及びサーバ装置１０４の処理手順を示している。また、図８は同一のコンテンツをＰｔＭ方式及びＰｔＰ方式で配信しているセルが混在し、かつＵＥ２がＰｔＭ方式で配信しているセルからＰｔＰ方式で配信しているセルへ移動する場合の処理手順を示している。サーバ装置による配信方式の選択時の処理手順は、図５に示した第１の実施の形態と同様である。
【００５７】
図７に示すように、ユーザのＵＥ２からＭＢＭＳによるコンテンツの配信が要求されると（ステップ４−１）、ＢＭ−ＳＣ１００は、該ユーザのＵＥ２に配信するコンテンツ名をＲＡＮ１０３に通知する（ステップ４−２）。
【００５８】
ＲＡＮ１０３は、ＢＭ−ＳＣ１００から通知されたコンテンツ名及びセル内の該コンテンツの配信を要求したＵＥ２を確認し（ステップ４−３）、ＦＡＣＨを用いて該ＵＥ２との接続を確立する（ステップ４−４）。各ＵＥ２との接続が確立すると、ＢＭ−ＳＣ１００から提供されたコンテンツがＦＡＣＨにより複数のＵＥ２へ同時に配信される。
【００５９】
ＲＡＮ１０３は、コンテンツの配信を要求したユーザのＩＭＳＩ、無線基地局情報、接続時間情報と、ステップ４−２でＢＭ−ＳＣ１００から通知されたコンテンツ名とを、配信情報としてサーバ装置１０４に報告する（ステップ４−５）。
【００６０】
サーバ装置１０４は、ＲＡＮ１０３から報告された配信情報をデータベースに蓄積する（ステップ４−６）。サーバ装置１０４が備えるデータベースは、第１の実施の形態と同様に表１に示すようになる。
【００６１】
コンテンツの配信を開始すると、ＲＡＮ１０３は配信しているコンテンツのユーザ毎にセルの移動要求の有無を判定する（ステップ４−７）。そして、ＵＥ２の移動を検出すると、該ＵＥ２との接続先の無線基地局の変更をサーバ装置１０４に報告する（ステップ４−８）。
【００６２】
サーバ装置１０４は、ＲＡＮ１０３からの報告にしたがって、ＵＥ２毎に接続する無線基地局情報の移動履歴をデータベースに追加し（ステップ４−９）、ステップ４−７の処理に戻ってステップ４−９までの処理を繰り返す。ステップ４−７〜ステップ４−９の処理はＵＥ２がＭＢＭＳによるコンテンツの受信を終了するまで続けられる。
【００６３】
サーバ装置１０４は、第１の実施の形態と同様に、コンテンツ毎に無線基地局に対するＵＥ２の接続数をそれぞれ計数し、該接続数が予め設定した閾値を越えている無線基地局ではＰｔＭ方式によりコンテンツを配信するようＢＭ−ＳＣ１００に指示する。また、ＵＥ２との接続数が閾値以下の無線基地局ではＰｔＭ方式及びＰｔＰ方式のいずれの方式でも該当するコンテンツの配信を認めるようＢＭ−ＳＣ１００に指示する。
【００６４】
ＢＭ−ＳＣ１００は、サーバ装置１０４からの指示にしたがってＰｔＰ方式による配信を指示されたセル内の各ＵＥ２にはＰｔＰ方式でコンテンツを配信し、ＰｔＭ方式による配信を指示されたセル内のＵＥ２にはＰｔＭ方式でコンテンツを配信する。
【００６５】
図８に示すように、ＰｔＰ方式で配信できるセルとＰｔＭ方式で配信できるセルとが混在する場合、ユーザのＵＥ２からＭＢＭＳによるコンテンツの配信が要求されると（ステップ５−１）、ＢＭ−ＳＣ１００は、該ユーザのＵＥ２に配信するコンテンツ名をＲＡＮ１０３に通知する（ステップ５−２）。
【００６６】
ＲＡＮ１０３は、ＢＭ−ＳＣ１００から通知されたコンテンツ名及びセル内の該コンテンツの配信を要求したＵＥ２を確認し、サーバ装置１０４へ問い合わせることで該ユーザのＵＥ２に対してコンテンツをＰｔＭ方式で配信可能か否かを判断する（ステップ５−３）。
【００６７】
ＲＡＮ１０３は、ＰｔＭ方式で配信する場合はＦＡＣＨを用いて該ＵＥ２との接続を確立してコンテンツを配信し（ステップ５−４）、ＰｔＰ方式で配信する場合はＤＣＨを用いて該ＵＥ２との接続を確立してコンテンツを配信する（ステップ５−５）。
【００６８】
ＲＡＮ１０３は、コンテンツの配信を要求したユーザのＩＭＳＩ、無線基地局情報、接続時間情報と、ステップ５−２でＢＭ−ＳＣ１００から通知されたコンテンツ名とを、配信情報としてサーバ装置１０４に報告する（ステップ５−６）。サーバ装置１０４は、ＲＡＮ１０３から報告された配信情報をデータベースに蓄積する（ステップ５−７）。
【００６９】
コンテンツの配信を開始すると、ＲＡＮ１０３は配信しているコンテンツのユーザ毎にセルの移動要求の有無を判定する（ステップ５−８）。そして、ユーザのＵＥ２の移動を検出すると、移動後に接続する無線基地局を含むＲＡＮ１０３では、配信方式の変更が必要であるか否かを判定する（ステップ５−９）。
【００７０】
配信方式の変更が必要な場合、該ＲＡＮ１０３は、該配信方式の変更をユーザのＵＥ２に通知すると共にＵＥ２に対するコンテンツの配信に用いるチャネル（ＦＡＣＨまたはＤＣＨ）を切り替える（ステップ５−１０）。配信方式の変更が不要な場合は後述するステップ５−１２の処理に移行する。
【００７１】
該ＲＡＮ１０３は、移動後に接続する無線基地局の情報をサーバ装置１０４に通知する（ステップ５−１１）。
【００７２】
サーバ装置１０４は、ＲＡＮ１０３からの報告にしたがって、ＵＥ２毎に接続する無線基地局情報の移動履歴をデータベースに追加し（ステップ５−１２）、ステップ５−８の処理に戻ってステップ５−１２までの処理を繰り返す。ステップ５−８〜ステップ５−１２の処理はＵＥ２がＭＢＭＳによるコンテンツの受信を終了するまで続けられる。
【００７３】
本実施形態のようにサーバ装置１０４をＲＡＮ１０３に備える構成でも、第１の実施の形態の情報配信システムと同様の効果を得ることができる。
【図面の簡単な説明】
【００７４】
【図１】本発明の情報配信システムの一構成例を示すブロック図である。
【図２】図１に示した移動通信システムの具体的な構成例を示すブロック図である。
【図３】図１に示したサーバ装置の一構成例を示すブロック図である。
【図４】第１の実施の形態の情報配信方法の処理手順を示すフローチャートである。
【図５】第１の実施の形態の情報配信方法の処理手順を示すフローチャートである。
【図６】第１の実施の形態の情報配信方法の処理手順を示すフローチャートである。
【図７】第２の実施の形態の情報配信方法の処理手順を示すフローチャートである。
【図８】第２の実施の形態の情報配信方法の処理手順を示すフローチャートである。
【符号の説明】
【００７５】
１    移動通信システム
２    ＵＥ
１０    処理装置
１１    ＣＰＵ
１２    主記憶装置
１３    記録媒体
１４    データ蓄積装置
１５    メモリ制御インタフェース部
１６    Ｉ／Ｏインタフェース部
１７    通信制御装置
１８    バス
２０    入力装置
３０    出力装置
１００    ＢＭ−ＳＣ
１０１    ＧＧＳＮ
１０２    ＳＧＳＮ
１０３    ＲＡＮ
１０４    サーバ装置
【図１】
0005088113.tif 000003
【図２】
0005088113.tif 000004
【図３】
0005088113.tif 000005
【図４】
0005088113.tif 000006
【図５】
0005088113.tif 000007
【図６】
0005088113.tif 000008
【図７】
0005088113.tif 000009
【図８】
0005088113.tif 000010